(57)【要約】      （修正有）【課題】手書きに見えしかも毎回どこか微妙に異なる印刷物を簡単に作成する。【解決手段】レイアウト枠作成手段と、レイアウト枠５７の移動及び／又は変形からなる加工範囲を入力欄６１を利用して設定する手段と、レイアウト枠内に手書又は手書風フォントデータを画像として挿入することでレイアウト枠５７の加工に追従して移動及び／又は変形する加工元画像データを作成する手段と、印刷が要求されると、その都度前記作成された加工元画像データを加工範囲に従って加工枠６３内で加工して１つの印刷イメージを作成し、その印刷イメージを印刷する印刷手段と、を含む。印刷の都度、文字のイメージが微妙に異なる。【選択図】図４
2008123066.tif 000002
【特許請求の範囲】
【請求項１】
レイアウト枠作成手段と、
前記作成されたレイアウト枠の移動及び／又は変形からなる加工範囲を設定する加工範囲設定手段と、
前記作成されたレイアウト枠内に手書又は手書風フォントデータを画像として挿入することでレイアウト枠の加工に追従して移動及び／又は変形する加工元画像データを作成する加工元画像データ作成手段と、
印刷が要求されると、その都度前記作成された加工元画像データを前記加工範囲に従って加工して１つの印刷イメージを作成し、その印刷イメージを印刷する印刷手段と、
を含むことを特徴とする擬似手書印刷物の作成システム。
【請求項２】
請求項１に記載した擬似手書印刷物の作成システムにおいて、印刷手段では、加工範囲を数値化し、乱数を用いた選択によりいずれかの加工範囲を選択して１つの印刷イメージを作成することを特徴とする擬似手書印刷物の作成システム。
【請求項３】
請求項１または２に記載した擬似手書印刷物の作成システムにおいて、レイアウト枠作成手段では、複数のレイアウト枠を設定作成できることを特徴とする擬似手書印刷物の作成システム。
【請求項４】
レイアウト枠作成ステップと、
前記作成されたレイアウト枠の移動及び／又は変形からなる加工範囲を設定する加工範囲設定ステップと、
前記作成されたレイアウト枠内に手書又は手書風フォントデータを画像として挿入することでレイアウト枠の加工に追従して移動及び／又は変形する加工元画像データを作成する加工元画像データ作成ステップと、
印刷が要求されると、その都度前記作成された加工元画像データを前記加工範囲に従って加工して１つの印刷イメージを作成し、その印刷イメージを印刷する印刷ステップと、
を含むことを特徴とする擬似手書印刷物の作成方法。
【請求項５】
請求項４に記載の各ステップをコンピュータに実行させるためのプログラム。
【発明の詳細な説明】
【技術分野】
【０００１】
本発明は、手書きに似た擬似印刷物を作成するシステム、方法及びプログラムに関するものである。
【背景技術】
【０００２】
昨今では比較的廉価な価格で種々のはがきの印刷アプリケーションソフトウエアが市販されており、このようなソフトウエアを使用した場合には、一度あて先や本文を保存すれば、その保存されたものを必要に応じて印刷することで手書の手間や書き損じが無くなる。そのため、年賀状等、定期的に大量のはがきを作成しなければならない場合のみならず、感謝状などの不定的にしかも少量または個別に作成するはがきにも利用される場合がある。
【０００３】
しかしながら、そのソフトウエアに登録されている一般的な印刷用フォント（明朝体、ゴシック体など）を使用してはがきを作成すれば、受け取った者はそのはがきが手書きされたものでないことを直ぐに理解する。
従って、特に感謝状等を印刷されたはがきで受け取った場合には、面倒がって印刷したものを送ってきたものと理解して、却って気分を害する者もいる。また、そこまでは至らないまでも、受け取った者に積極的に好印象を与えることは難しい。
【０００４】
【特許文献１】特開２００４−１７１４７２号公報
【発明の開示】
【発明が解決しようとする課題】
【０００５】
そこで、特許文献１のように、手書フォントを作成し、その手書フォントを利用して文字を印刷する印刷システムが提案されている。
しかしながら、そのシステムでは、手書フォント作成部を備えなければならず、大掛かりとなる。
また、実際に２枚のはがきのあて名を続けて手書すると分かるように、本人が続けて書いても２枚のはがきに書かれた文字の書体や位置は微妙にズレており、完全に一致することはない。そのため、前のはがきを保存しておいた人が、新たにはがきを受け取ってその両者を見比べてしまうと、不自然さを感じてしまうはずである。
【０００６】
本発明は、上記課題を解決するために、手書きに見えしかも毎回どこか微妙に異なる印刷物を簡単にしかも市販のパソコンを利用して作成できるシステム、方法及びプログラムを提供することを目的とする。
また、本発明は上記した擬似手書き書体で大量印刷できるシステム、方法及びプログラムを提供することを目的とする。
【課題を解決するための手段】
【０００７】
請求項１の発明は、レイアウト枠作成手段と、前記作成されたレイアウト枠の移動及び／又は変形からなる加工範囲を設定する加工範囲設定手段と、前記作成されたレイアウト枠内に手書又は手書風フォントデータを画像として挿入することでレイアウト枠の加工に追従して移動及び／又は変形する加工元画像データを作成する加工元画像データ作成手段と、印刷が要求されると、その都度前記作成された加工元画像データを前記加工範囲に従って加工して１つの印刷イメージを作成し、その印刷イメージを印刷する印刷手段と、を含むことを特徴とする擬似手書印刷物の作成システムである。
【０００８】
請求項２の発明は、請求項１に記載した擬似手書印刷物の作成システムにおいて、印刷手段では、加工範囲を数値化し、乱数を用いた選択によりいずれかの加工範囲を選択して１つの印刷イメージを作成することを特徴とする擬似手書印刷物の作成システムである。
【０００９】
請求項３の発明は、請求項１または２に記載した擬似手書印刷物の作成システムにおいて、レイアウト枠作成手段では、複数のレイアウト枠を設定作成できることを特徴とする擬似手書印刷物の作成システムである。
【００１０】
請求項４の発明は、レイアウト枠作成ステップと、前記作成されたレイアウト枠の移動及び／又は変形からなる加工範囲を設定する加工範囲設定ステップと、前記作成されたレイアウト枠内に手書又は手書風フォントデータを画像として挿入することでレイアウト枠の加工に追従して移動及び／又は変形する加工元画像データを作成する加工元画像データ作成ステップと、印刷が要求されると、その都度前記作成された加工元画像データを前記加工範囲に従って加工して１つの印刷イメージを作成し、その印刷イメージを印刷する印刷ステップと、を含むことを特徴とする擬似手書印刷物の作成方法である。
【００１１】
請求項５の発明は、請求項４に記載の各ステップをコンピュータに実行させるためのプログラムである。
【発明の効果】
【００１２】
本発明の擬似手書印刷物の作成システムを利用してはがきのあて名等を印刷すれば、送り先の相手に手書と思わせることができる。
また、ユーザーは、簡単な操作で、しかも市販のパソコン(本体)と周辺機器を利用して擬似手書印刷物を作成することができる。
【発明を実施するための最良の形態】
【００１３】
以下、本発明の実施の形態を図面に従って説明する。
擬似手書印刷物の作成システム１は、ハードウエア的には、コンピュータ本体（ＣＰＵ＋メモリ）３と、その周辺機器である補助記憶装置５と、はがきの記載データの取込みに使用するスキャナ７と、種々の画面を表示するディスプレイ９と、数値入力などのユーザーによる操作に使用するキーボード１１と、レイアウト枠の作成などのユーザーによる操作に使用するマウス１３と、はがきに印刷イメージを出力するプリンタ１５とにより構成されており、擬似手書印刷物の作成方法をコンピュータにより実行させるためのプログラムとデータが補助記憶装置５からメモリにロードされることで具現化される。
なお、上記した周辺機器はコンピュータ本体３に直接ケーブル接続される必要も、共に同時に接続される必要もない。データのやり取りは通信網を通じて行われてもよい。コンピュータ本体３は単一でなくともよい。
【００１４】
図１は、この作成システム１の論理的構成図を示す。図２は、一連の作成ステップを示す。
図１の符号１７はレイアウト枠作成手段を示し、このレイアウト枠作成手段１７は複数の手段からなる。
先ず、サンプルはがき取り込み手段１９は、取込み機器としてスキャナ７を利用したものであり、ユーザーが表面にあて先（住所、名前）の印刷されたサンプルはがきをスキャナ７にセットし、図３に示すメイン画面上の「サンプルはがき取り込み」ボタン４１をマウスクリックすると、動作を開始してサンプルはがき取り込みステップを実行する。即ち、サンプルはがきの表面を画像データとして取り込むと共に、自動的にスキャンフォルダを作成し、その中に取り込んだ画像データを保存する。
【００１５】
レイアウト枠デザイン手段２１は、ユーザーが図３に示すメイン画面上の「レイアウト枠デザイン」ボタン４３をマウスクリックすると、動作を開始してレイアウト枠デザインステップを実行する。
ユーザーがスキャンフォルダを開いて取り込んだ画像データを取り出し、次に、レイアウトフォルダを開き、複数の候補から適当なレイアウト枠を選択すると、図４に示すように、はがき用の印刷枠とサンプルはがきの表面の画像データとレイアウト枠５７とを重畳表示する。
【００１６】
このレイアウト枠５７は調整可能であり、ユーザーがレイアウト枠５７上の任意の位置をマウスクリックしてマーカー５９を表示させ、さらにドラック操作をすると、レイアウト枠５７は移動したり、拡大・縮小したりする。
一方、最初からレイアウト枠５７を作成することもできる。その場合には、ユーザーが適当な位置にカーソルを移動してマウスクリックし、そのまま移動させるドラック操作をし、終点でクリックを解除すると、マウスにより指定された画面上の始点と終点の座標を検出し、その始点と終点を対角線とする四角形のレイアウト枠を作成すると共に、画面上に作成したレイアウト枠５７を重畳表示する。
【００１７】
レイアウト枠は１つでも複数でも作成できる。後述するように、レイアウト枠は互いに独立に移動したり変形させたりすることが可能であることから、図４に示すように、住所と会社名と氏名とを分けてレイアウト枠５７を作成すれば、住所と会社名と名前がそれぞれ独立して移動・変形できる。
【００１８】
加工範囲設定手段２３は、上記のように作成されたレイアウト枠５７を移動したり変形させたりする加工範囲を設定するものであり、実質的にはレイアウト枠作成ステップと平行して加工範囲設定ステップを実行する。
この実施の形態では、前提となる加工条件は、レイアウト枠の縦方向と横方向への位置ずれ量（ピクセル単位）と、縦方向と横方向の拡大／縮小の文字変形比率（％単位）である。
図４に示すレイアウトデザイン画面の右側には、それらの入力欄６１が設けられており、ユーザーに加工範囲の設定を促す。なお、初期値として推奨値が予め入力されている。従って、レイアウト枠５７が作成されると、その推奨値に従って自動的に加工枠６３を作成して重畳表示する。ここで、加工枠６３とは、レイアウト枠５７の最大移動領域を示す。
【００１９】
なお、右側の入力欄６１は複数（この実施の形態では３つ）のレイアウト枠５７に対して一つしか設けられていないが、この入力欄はマーカー５９が表示されたレイアウト枠５７用のものである。図４では、「氏名」のレイアウト枠５７上にマーカー５９が表示されているが、ユーザーが別のレイアウト枠、例えば、会社名のレイアウト枠をマウスクリックして選択すると、その選択された会社名のレイアウト枠５７上にマーカー５９が表示されると共に、右側の入力欄６１はその選択されたレイアウト枠５７用のものとなる。
【００２０】
加工範囲の設定の説明に戻ると、図４では、推奨値では、位置ずれ量（縦：５、横：５）、文字変形比率（縦：１００、横：１００）であり、結果として加工範囲として位置ずれのみ設定されている。
この設定では、「縦：５」はそれぞれ最大上方向に３ピクセル（５÷２＝２．５、小数点以下切り上げ）まで、下方向に３ピクセルまで上下移行できることを意味し、「横：５」はそれぞれ最大左方向に３ピクセル（５÷２＝２．５、小数点以下切り上げ）まで、右方向に３ピクセルまで上下移行できることを意味する。
【００２１】
この加工範囲を、図５に示すように変更すると、位置ずれ量（縦：５０、横：５０）、文字変形比率（縦：１００、横：１００）であり、結果として加工範囲として位置ずれのみ設定されたことになっている。
この設定では、「縦：５０」はそれぞれ最大上方向に２５ピクセルまで、下方向に２５ピクセルまで上下移行できることを意味し、「横：５０」はそれぞれ最大左方向に２５ピクセルまで、右方向に２５ピクセルまで横移行できることを意味する。
【００２２】
この加工範囲を、図６に示すように変更すると、位置ずれ量（縦：０、横：０）、文字変形比率（縦：１５０、横：３００）であり、結果として加工範囲として文字変形だけ設定されたことになっている。
この設定では、「縦：１５０」は縦方向に最大１５０％までレイアウト枠５７内の画像の大きさ、即ち手書き文字の大きさを拡大変形できることを意味し、「横：３００」は横方向に最大３００％までレイアウト枠５７内の画像の大きさ、即ち手書き文字の大きさを拡大変形できることを意味する。
【００２３】
ユーザーはレイアウト枠毎に上記したように加工範囲を設定し、即ち推奨値をそのまま維持するか変更する。複数のレイアウト枠を作成した場合には、ユーザーが画面上で加工枠６３どうしの位置関係を目視で確認し、重なっていた場合には重なりがなくなるように調整する。
ユーザーが加工範囲の設定作業を終了し、アドレスフォルダへの保存操作をすると、レイアウト枠作成手段１７はレイアウトデータ（大きさ、位置）とその加工範囲のデータをレイアウトフォルダに保存し、動作を終了する。
【００２４】
加工元画像データ作成手段２５は複数の手段からなる。
先ず、レイアウト用紙印刷手段２７は、出力機器としてプリンタ１５を利用したものであり、上記したレイアウト枠デザイン手段２１の動作により作成され保存されたレイアウト枠５７を印刷するものである。ユーザーがはがき大の用紙をプリンタ１５にセットし、図３に示すメイン画面上の「レイアウト用紙印刷」ボタン４５をマウスクリックすると動作を開始して、加工元画像データ作成ステップを実行する。
ユーザーがレイアウトフォルダから適当なレイアウト枠を選択すると、レイアウト用紙にレイアウト枠５７を印刷出力する。
【００２５】
手書き済みはがき取り込み手段２９は、取込み機器としてスキャナ７を利用したものであり、ユーザーが住所と名前をそれぞれのレイアウト枠内に手書きした用紙をスキャナ７にセットし、図３に示すメイン画面上の「手書き済みはがき取り込み」ボタン４７をマウスクリックすると、動作を開始して手書済みはがき取り込みステップを実行する。即ち、サンプルはがきの表面を手書画像データとして取り込むと共に、スキャンフォルダにその取り込んだ手書画像データを保存する。
【００２６】
レイアウト枠切抜き手段３１は、上記で取り込まれた手書画像データを上記で作成されたレイアウト枠５７をトリミング枠として切り抜くものであり、ユーザーが図３に示すメイン画面上の「レイアウト枠切抜き」ボタン４９をマウスクリックすると動作を開始する。
ユーザーがスキャンフォルダから手書画像データを取り出し、さらに、レイアウトフォルダに保存されたものの中からトリミング枠として適当なレイアウト枠を指定すると、レイアウト枠切抜き手段３１は指定されたレイアウト枠をトリミング枠として手書き画像データを切抜く。また、レイアウト用紙に印刷されたレイアウト枠５７は公知のいずれかの画像補正処理により消去する。
次に、ユーザーからの保存要求に従って、切り抜き後のデータを加工元画像データとして件名を付けてアドレスフォルダに保存する。なお、この保存操作が行われると、レイアウト枠切抜き手段３１は、アドレスフォルダに、同時にレイアウトデータも関連付けて保存する。
【００２７】
切抜き確認手段３３は、上記したレイアウト枠切抜き手段３１で切り抜かれた後の加工元画像データを、図７で示すように画面表示する。
スキャナ７へのレイアウト用紙のセット位置がずれていると、切り抜き後に一部の画像データが欠けたり、回転したりしてしまうことから、その確認のために表示する。表示内容に不都合があった場合には、再度手書き済みはがき取り込みと切抜きの作業を行うことになる。
【００２８】
印刷手段３５は、あて先の画像データをプリンタにより印刷出力するものである。ユーザーがはがきをプリンタ１５にセットした後に、メイン画面上の「全件印刷」ボタン５３をマウスクリックすると、印刷手段３５が動作して、印刷ステップを実行する。
印刷手段３５は複数の手段からなる。
先ず、印刷イメージ作成手段３７は、公知のいずれかの手法により乱数を発生させ、その乱数に基づいて位置ずれ量と文字変形比率を決定し、そのデータに基づいて加工元画像データを加工して１つの印刷イメージを作成する。乱数を利用して印刷イメージを加工しているので、印刷の都度、異なった印刷イメージが作成されることになる。なお、一つのレイアウト枠に複数の加工範囲、例えば縦方向の位置ずれ量、横方向の位置ずれ量が設定されている場合にはそれぞれの条件毎に乱数を発生させている。
印刷出力手段３９は、その印刷イメージでプリンタを動作させて、図８（２）に示すように、セットされたはがき全件にあて先を印刷する。因みに図８（１）は未加工の印刷イメージを示す。
【００２９】
また、印刷出力手段３９は、その印刷履歴、即ち、何時、どのあて先の印刷を行ったかを印刷履歴フォルダに保存する。
従って、ユーザーが図３に示すメイン画面上の「印刷履歴」ボタン５５をマウスクリックして、印刷履歴フォルダから所定の加工元画像データ、即ちあて先データを選択すれば、何時だれ宛にはがきを送ったかを後から確認できる。
【００３０】
なお、上記で印刷出力する場合のインクは、顔料インクが好ましい。通常、手書きする場合には顔料インク系筆ペンを使用するからである。
また、レイアウト用紙に手書きする場合には、顔料インク系筆ペンを使用するのが好ましい。作成された画像データに、当該筆ペンを使用した場合に出るにじみ、色調等の特徴が反映されるからである。
【００３１】
ユーザーが図３に示すメイン画面上の「設定」ボタン５６をマウスクリックすると、図９に示す設定画面を表示する。この設定画面上での入力により、加工範囲の推奨値を変更できる。また、データの保存先も設定できる。
【００３２】
以上、本発明の実施の形態を説明したが、本発明の具体的構成が上記の実施の形態に限定されるものではなく、本発明の要旨から外れない範囲での設計変更があっても本発明に含まれる。
例えば、上記の実施の形態では、説明の便宜上郵便番号の記載は割愛しているが、この作成システムの実際の使用場面では、住所・氏名と同様に手書画像データを作成することが想定されている。
また、加工元データとしては、手書きしたものを必ずしも使用するする必要はなく、手書風フォントを用いた印刷したものを使用してもよい。  
上記の実施の形態では、レイアウト枠の加工範囲は移動・拡大のみであるが、それに限定されず、さらに縮小や回転などを加えてもよい。
上記の実施の形態では、複数のレイアウト枠を作成した場合のレイアウト枠どうしの重なりの排除の調整をユーザーがマウス操作して行っているが、重なった場合にいずれのレイアウト枠を優先するかなどを予め決定しておいてＣＰＵの自動処理により行ってもよい。
【００３３】
サンプルはがきとして手書きしたはがきをスキャンしておき、それを元にレイアウト枠を作成してもよい。そのようにすれば、はがきのスキャンステップを一つ省略することができる。
また、印刷するものははがきの表面に限らず、裏面でもよい。例えば、年賀状などは通常絵柄や挨拶文を印刷した後に、一言二言手書きを添える場合があるが、その手書き部分をこの作成システムを利用して作成してもよい。
さらに、印刷するものははがきに限らず、封書やその他のものでもよい。
【産業上の利用可能性】
【００３４】
本発明の擬似手書印刷物の作成システムは、手書きの特性、即ち完全に同じものは二度と書けないことが十分に考慮された印刷システムであり、ビジネス上の関係を密にしたい相手宛の手紙の作成にも積極的に利用できる。
【図面の簡単な説明】
【００３５】
【図１】本発明の実施の形態に係る擬似印刷物の作成システムの構成図である。
【図２】作成ステップのフローチャートである。
【図３】メニュー画面である。
【図４】レイアウト枠デザイン画面である。
【図５】レイアウト枠デザイン画面である。
【図６】レイアウト枠デザイン画面である。
【図７】切抜き確認画面である。
【図８】未加工と加工済みの印刷イメージの印刷はがきである。
【図９】加工範囲の推奨値などの設定画面である。
【符号の説明】
【００３６】
１‥‥擬似手書印刷物の作成システム
３‥‥コンピュータ本体                ５‥‥補助記憶装置
７‥‥スキャナ                        ９‥‥ディスプレイ
１１‥‥キーボード                    １３‥‥マウス
１５‥‥プリンタ
１７‥‥レイアウト枠作成手段
２３‥‥加工範囲設定手段
２５‥‥加工元画像データ作成手段
３５‥‥印刷手段
【図１】
2008123066.tif 000003
【図２】
2008123066.tif 000004
【図３】
2008123066.tif 000005
【図４】
2008123066.tif 000006
【図５】
2008123066.tif 000007
【図６】
2008123066.tif 000008
【図７】
2008123066.tif 000009
【図８】
2008123066.tif 000010
【図９】
2008123066.tif 000011